【事件の表示】
　特願２０１４−２４６０５０「遊技機」拒絶査定不服審判事件〔平成２８年　６月２０日出願公開、特開２０１６−１０６７７８〕について、次のとおり審決する。
【結　論】
　本件審判の請求は、成り立たない。
【理　由】
１　手続の経緯
　本願は、平成２６年１２月４日の出願であって、平成２８年１月２８日付けで拒絶の理由が通知され、平成２８年３月２９日に意見書及び手続補正書が提出され、平成２８年９月７日付けで最後の拒絶の理由が通知され、平成２８年１０月２６日に意見書及び手続補正書が提出されたところ、平成２９年３月１６日付け（発送日：平成２９年３月２８日）で、平成２８年１０月２６日付け手続補正が却下されるとともに拒絶査定がなされ、それに対して、平成２９年６月２６日に拒絶査定不服審判の請求がなされると同時に手続補正がなされ、これに対し、当審において、平成３０年２月１４日付けで拒絶の理由が通知され、平成３０年４月１９日に意見書及び手続補正書が提出され、さらに、当審において、平成３０年５月２４日付けで拒絶の理由が通知され、平成３０年７月２６日に意見書及び手続補正書が提出されたものである。
２　本願発明
　この出願の請求項１に係る発明（以下「本願発明」という。）は、平成３０年７月２６日付けの手続補正書により補正された特許請求の範囲の請求項１に記載された次のとおりのものと認める（下線は、補正箇所を明示するために審決にて付した。また、当審においてＡ〜Ｆに分説した。）。
「【請求項１】
Ａ　基板管理番号が記載される電子回路基板であって、遊技機に取り付けられた状態で水平方向となる第１端辺および第２端辺のうち少なくとも前記第１端辺の近傍にコネクタが取り付けられ、透明又は半透明の基板ケースに収納された第１の電子回路基板を含む複数の電子回路基板が搭載され、いずれの電子回路基板の基板ケースとも別体であり、かつ、複数の基板ケースと重なる位置に取り付けられるカバー体を備える遊技機であって、
Ｂ　前記第１の電子回路基板は、遊技機に搭載され、かつ該第１の電子回路基板とは異なる第２の電子回路基板と、前記コネクタから前記基板ケース外において導電線材により電気的に接続され、
Ｃ　前記第１の電子回路基板の基板管理番号は、前記第１端辺の近傍であって、該第１端辺と同じ水平方向の文字列であり、かつ各文字の上方が遊技機に取り付けられた状態で上方となる姿勢で記載され、
Ｄ　前記第１の電子回路基板の前記第１端辺における導電線材は、前記コネクタの位置から見て前記第２端辺に向かう方向ではなく前記第１端辺に向かう方向に配置され、さらに前記第２の電子回路基板に向かう方向であって、かつ前記コネクタの位置から見て該第１の電子回路基板の基板管理番号が記載されている方向とは異なる方向に配置され、
Ｅ　前記第１の電子回路基板上の基板管理番号が、当該第１の電子回路基板の基板ケースと前記カバー体と前記導電線材のいずれによっても識別不能とならないように配置されている
Ｆ　遊技機。」
３　引用例 
　原査定の拒絶の理由に引用例１として引用された特開２０１３−３７３号公報（以下、「刊行物１」という。）には、次の事項が図面とともに記載されている。
ア　記載事項　
（１−ａ）「【技術分野】
【０００１】
　本発明は、表面に遊技制御装置（回路）を構成する電子部品が実装される制御基板と、該制御基板を内部に収納するための透明な基板ボックスとを備えた遊技機に関する。」
（１−ｂ）「【００２７】
　
図２には、遊技機１０の裏面の構造が示されている。
　
前面枠１２の裏面
【００２８】
　さらに、
前面枠１２の裏面中央部には、後述の表示装置４１（画像表示装置）における変動表示ゲームの演出の制御を行う演出制御装置８０と、演出制御装置８０等の各種装置を統括制御する遊技制御装置１００と、等が配設されている。
　
また、前面枠１２の裏面下部には、球払出装置５４を制御する払出制御装置６０と、
等が設けられている。
（１−ｃ）「【００４７】
　次に、本実施形態の遊技機１０が特徴とする遊技制御装置１００（制御装置）について説明する。
　遊技制御装置１００は、例えば図４に示すように、
遊技機１０の動作制御等を行うことで遊技の進行を統括的に制御する遊技制御基板１１０（制御基板）と、当該遊技制御基板１１０を内部に収納するための透明な基板ボックス１２０と、を備えて構成される。
　・・・
【００４９】
　遊技制御基板１１０は、後に詳しく説明するが、その外形が矩形状を呈してなるプリント配線基板である。すなわち、
遊技制御基板１１０は、
コネクタ（コネクタ端子）１１６，１１６，…が実装されている。
　そして、本実施形態の遊技制御装置１００においては、上記
遊技制御基板１１０の左右両端部に、当該遊技制御装置１００が搭載される遊技機１０の製造会社（メーカー）の名前および当該遊技制御基板１１０の管理番号等が記された基板識別領域部１１２Ａ，１１２Ｂが設けられている。
（１−ｄ）「【００８０】
　図１９は、上記実施例の遊技制御装置の第２の変形例における遊技制御基板１１０の構成を示す。
　この変形例は、前記実施例および第１変形例では、
遊技制御基板１１０の両側端部に設けていた基板識別領域部１１２Ａ，１１２Ｂ（１１２Ｃ，１１２Ｄ）を、遊技制御基板１１０の長手方向の側縁部に設けるようにしたものである。
（１−ｅ）「【００９０】
　また、上記実施形態には、
前記基板ボックス（１２０）は、前記制御基板（１１０）の表面に対向する面の前記識別領域部（１１２Ａ，１１２Ｂ，１１２Ｃ，１１２Ｄ）の識別情報表示面に対向する部分に、当該識別領域部に向けて落ち込む段差部（２０６，２０７）を備えるようにした発明が含まれる。
　そして、かかる発明によれば、識別領域部に向けて落ち込む段差部を備えることによって、制御基板を基板ボックスに収納した状態において、基板ボックスを構成する壁体と識別領域部とが近接した状態となるため、識別領域部に表示される識別情報をボックス外部識別領域部に表示される識別情報を見易くすることができる。
イ　認定事項
（１−ｆ）段落【００４９】には、実施例について「遊技制御基板１１０は、・・・コネクタ（コネクタ端子）１１６，１１６，…が実装されている。・・・遊技制御基板１１０の左右両端部に、当該遊技制御装置１００が搭載される遊技機１０の製造会社（メーカー）の名前および当該遊技制御基板１１０の管理番号等が記された基板識別領域部１１２Ａ，１１２Ｂが設けられている。」と記載され、実施例の制御装置の第２変形例について段落【００８０】には、「遊技制御基板１１０の両側端部に設けていた基板識別領域部１１２Ａ，１１２Ｂ（１１２Ｃ，１１２Ｄ）を、遊技制御基板１１０の長手方向の側縁部に設けるようにしたものである。」と記載されているから、遊技制御基板１１０の長手方向の側縁部には、管理番号等が記された基板識別領域部１１２Ａ、１１２Ｂが設けられているといえる。
　また、図１９には、遊技制御基板１１０には長手方向の側縁部として上方側縁部と下方側縁部があり、下方側縁部の近傍の長手方向中央付近に位置するように基板識別領域部１１２Ａ、１１２Ｂが取り付けられ、下方側縁部の近傍の長手方向の右端側にコネクタが取り付けられていることが示されている。
　ここで、段落【００２７】には、「図２には、遊技機１０の裏面の構造が示されている。」と記載され、段落【００２８】には、「前面枠１２の裏面中央部には、後述の表示装置４１（画像表示装置）における変動表示ゲームの演出の制御を行う演出制御装置８０と、演出制御装置８０等の各種装置を統括制御する遊技制御装置１００と、等が配設されている。また、前面枠１２の裏面下部には、球払出装置５４を制御する払出制御装置６０と、・・・等が設けられている。」と記載されている。また、段落【００４７】には「遊技機１０の動作制御等を行うことで遊技の進行を統括的に制御する遊技制御基板１１０（制御基板）と、当該遊技制御基板１１０を内部に収納するための透明な基板ボックス１２０と、を備えて構成される。」と記載されている。
　これらの記載を踏まえて、図２を参照すると、遊技機の前面枠１２の裏面の遊技制御装置１００は、遊技制御基板１１０と基板ボックス１２０を有するものであるから、遊技制御基板１１０は、その長手方向が水平方向となるように基板ボックス１２０に収納された状態で前面枠１２の裏面に配置されていることが示されていると認められる。また、払出制御装置６０は、遊技制御基板１１０の左斜め下方に位置するように配設されていることが示されていると認められる。
　よって、引用例１には、
管理番号が記された基板識別領域部１１２Ａ、１１２Ｂが下方側縁部の近傍の長手方向中央付近に位置するように設けられた遊技制御基板１１０であって、遊技機に取り付けられた状態で水平方向となる上方側縁部及び下方側縁部のうち、下方側縁部の近傍の長手方向の右端側に位置するようにコネクタが取り付けられ、透明な基板ボックス１２０に収納された遊技制御基板１１０と、演出制御装置８０、遊技制御基板１１０の左斜め下方に位置する払出制御装置６０等が配設された遊技機１０
　さらに、図１９には、遊技制御基板１１０の基板識別領域部１１２Ａ、１１２Ｂに記載された管理番号が、下方側縁部の近傍の中央付近であって、該下方側縁部と同じ水平方向の文字列であることが示されている。
　また、遊技制御基板１１０は、その長手方向が水平方向となるように基板ボックス１２０に収納された状態で前面枠１２の裏面に配置されているから、管理番号の各文字の情報が遊技機に取り付けられた状態で上方となる姿勢で記載されていると認められる。
　よって、引用例１には、
遊技制御基板１１０の管理番号は、下方側縁部の近傍の長手方向の中央付近であって、該下方側縁部と同じ水平方向の文字列であり、かつ各文字の情報が、遊技制御基板１１０が遊技機に配設された状態で上方となる姿勢で記載され
　よって、以上の記載事項（１−ａ）〜（１−ｅ）及び認定事項（１−ｆ）を総合すると、引用例１には、第２変形例を中心として、次の発明が記載されていると認められる（以下、この発明を「引用発明」という。）。
「ａ　管理番号が記された基板識別領域部１１２Ａ、１１２Ｂが下方側縁部の近傍の長手方向中央付近に位置するように設けられた遊技制御基板１１０であって、遊技機に取り付けられた状態で水平方向となる上方側縁部及び下方側縁部のうち、下方側縁部の近傍の長手方向の右端側に位置するようにコネクタが取り付けられ、透明な基板ボックス１２０に収納された遊技制御基板１１０と、演出制御装置８０、遊技制御基板１１０の左斜め下方に位置する払出制御装置６０等が配設された遊技機１０であって（認定事項（１−ｆ））、
ｂ　前記遊技制御基板１１０は、演出制御装置８０、払出制御装置６０等の各種装置を統括制御するものであり（段落【００２８】）、
ｃ　遊技制御基板１１０の管理番号は、下方側縁部の近傍の長手方向の中央付近であって、該下方側縁部と同じ水平方向の文字列であり、かつ各文字の情報が、遊技制御基板１１０が遊技機に配設された状態で上方となる姿勢で記載された（認定事項（１−ｆ））、
ｆ　遊技機１０（遊技機）。」
４　対比
　本願発明と引用発明とを対比する（下記の見出しの（ａ）〜（ｆ）は、引用発明の構成ａ〜ｆに対応している。）。
（ａ）引用発明の「管理番号」、「遊技制御基板１１０」、「下方側縁部」、「上方側縁部」「基板ボックス１２０」は、それぞれ、本願発明の「基板管理番号」、「第１の電子回路基板」、「第１端辺」、「第２端辺」、「基板ケース」に相当する。
　また、引用発明の「演出制御装置８０」、「払出制御装置６０」に電子回路基板が搭載されていることは明らかである。
　よって、引用発明の「管理番号が記された基板識別領域部１１２Ａ、１１２Ｂが下方側縁部の近傍の長手方向中央付近に位置するように設けられた遊技制御基板１１０であって、遊技機に取り付けられた状態で水平方向となる上方側縁部及び下方側縁部のうち、下方側縁部の近傍の長手方向の右端側に位置するようにコネクタが取り付けられ、透明な基板ボックス１２０に収納された遊技制御基板１１０と、演出制御装置８０、遊技制御基板１１０の左斜め下方に位置する払出制御装置６０等が配設された遊技機１０」は、本願発明の「基板管理番号が記載される電子回路基板であって、遊技機に取り付けられた状態で水平方向となる第１端辺および第２端辺のうち少なくとも前記第１端辺の近傍にコネクタが取り付けられ、透明又は半透明の基板ケースに収納された第１の電子回路基板を含む複数の電子回路基板が搭載され」た「遊技機」に相当する。
　また、引用発明は、本願発明の「カバー体」に相当する構成を有していない。
（ｂ）引用発明において、遊技制御基板１１０は、演出制御装置８０、払出制御装置６０等の各種装置を統括制御するものであるから、遊技制御基板１１０と演出制御装置８０等の電子回路基板とを両基板に設けられたコネクタを介して基板ケース外において導電線材により電気的に接続されていることは、当業者における技術常識である。
　そして、引用発明の各種装置のうちの「払出制御装置６０」は、本願発明の「第２の電子回路基板」に相当するといえる。
　よって、引用発明の「前記遊技制御基板１１０は、演出制御装置８０、払出制御装置６０等の各種装置を統括制御するものであ」る点は、本願発明の「前記第１の電子回路基板は、遊技機に搭載され、かつ該第１の電子回路基板とは異なる第２の電子回路基板と、前記コネクタから前記基板ケース外において導電線材により電気的に接続され」る点に相当する。
（ｃ）引用発明の「遊技制御基板１１０の管理番号は、下方側縁部の近傍の長手方向の中央付近であって、該下方側縁部と同じ水平方向の文字列であり、かつ各文字の情報が、遊技制御基板１１０が遊技機に配設された状態で上方となる姿勢で記載され」る点に相当する。
（ｆ）引用発明の「遊技機１０」は、本願発明の「遊技機」に相当する。
　したがって、本願発明と引用発明とは、
「Ａ’　基板管理番号が記載される電子回路基板であって、遊技機に取り付けられた状態で水平方向となる第１端辺および第２端辺のうち少なくとも前記第１端辺の近傍にコネクタが取り付けられ、透明又は半透明の基板ケースに収納された第１の電子回路基板を含む複数の電子回路基板が搭載される遊技機であって、
Ｂ　前記第１の電子回路基板は、遊技機に搭載され、かつ該第１の電子回路基板とは異なる第２の電子回路基板と、前記コネクタから前記基板ケース外において導電線材により電気的に接続され、
Ｃ　前記第１の電子回路基板の基板管理番号は、前記第１端辺の近傍であって、該第１端辺と同じ水平方向の文字列であり、かつ各文字の上方が遊技機に取り付けられた状態で上方となる姿勢で記載され、
Ｆ　遊技機。」
である点で一致し、以下の点で相違する。
［相違点１］
　本願発明は、「前記第１の電子回路基板の前記第１端辺における導電線材は、前記コネクタの位置から見て前記第２端辺に向かう方向ではなく前記第１端辺に向かう方向に配置され、さらに前記第２の電子回路基板に向かう方向であって、かつ前記コネクタの位置から見て該第１の電子回路基板の基板管理番号が記載されている方向とは異なる方向に配置され」るのに対し、引用発明は、導電線材がどのように配置されるのか不明である点。（構成Ｄ）
［相違点２］
　本願発明は、「いずれの電子回路基板の基板ケースとも別体であり、かつ、複数の基板ケースと重なる位置に取り付けられるカバー体を備え」、「前記第１の電子回路基板上の基板管理番号が、当該第１の電子回路基板の基板ケースと前記カバー体と前記導電線材のいずれによっても識別不能とならないように配置されている」のに対し、引用発明は、そのように特定されていない点。（構成Ａ、Ｅ）
５　判断
ア　上記相違点１について検討する。 
　引用例１の段落【００９０】には、「識別領域部に向けて落ち込む段差部を備えることによって、制御基板を基板ボックスに収納した状態において、基板ボックスを構成する壁体と識別領域部とが近接した状態となるため、識別領域部に表示される識別情報をボックス外部識別領域部に表示される識別情報を見易くすることができる。」と記載され、段落【００４９】には、「」管理番号等が記された基板識別領域部１１２Ａ，１１２Ｂ」が記載されているから、引用例１には、遊技制御基板１００の管理番号が、当該遊技制御基板の基板ボックスから見易くすることが示唆されているといえる（以下「引用例記載の示唆」という。）。
　また、遊技機の技術分野において、コネクタが遊技基板の１端辺の近傍に取り付けられ、コネクタに接続された導電線材を、コネクタの位置から見て該１端辺に向かう方向に配置し、さらに導電部材を他の基板に向かう方向に配置することは、本願出願前において周知の技術である。（例えば、特開２００１−１２９１７７号公報の図２の遊技制御装置１０７から排出制御装置１０６に向かう導電線材、特開２００１−２９５５５号公報の図２の遊技制御装置１０７から排出制御装置１０６に向かう導電線材、特開２０１４−１５８８０１号公報の図８の第２制御基板ユニット２０２から表示制御装置４５に向かう導電線材を参照のこと。以下「周知技術１」という。）
　そして、基板管理番号の重要性に鑑み、透明ケースに収納された遊技基板の基板管理番号の視認を容易とするために基板管理番号が他の部材により遮蔽されないように設けることは技術常識である。（例えば、特開２００１−２１２３３２号公報の段落【０００３】〜【０００５】、【００２４】、【００３０】の基板管理番号を回路素子の陰となりにくい位置や、透明ケースの段差のある部分と重ならない領域に設けることにより基板管理番号を読み取りやすくする点、特開２０１４−６８８２３号公報の段落【００２３】、【００２４】の管理情報１００が表示される制御基板４２の表示部７４、７６を、透明な基板ケース４１に設けられた機種名等の印刷や、シールや、マーク等の模様と重ならない位置に配置することで基板ケース４１を介して管理情報１００を視認可能に構成するとともに基板ケース４１の後側を覆う透明なリアパックを介しても管理情報１００を視認可能に構成する点を参照のこと。）
　さらに、引用発明と周知技術１とは、コネクタを取り付けた遊技基板を有する遊技機である点で共通するものである。
　したがって、引用発明において遊技制御基板１１０と払出制御装置６０との電気的接続に、上記の技術常識及び引用例記載の示唆を考慮したうえで、周知技術１を適用し、遊技制御基板１１０のコネクタの位置から見て１端辺に向かう方向に導電線材を配置し、さらに、遊技制御基板１１０のコネクタの位置から見て基板識別領域部１１２Ａ，１１２Ｂが設けられた下方側縁部の近傍の長手方向中央付近に向かう方向とは異なる方向である斜め下方に位置する払出制御装置６０に向かう方向に導電線材を配置し、上記相違点１に係る本願発明の構成とすることは当業者が容易に想到し得たことである。
　そして、このものが結果として、導電線材を下方側縁部の近傍の、コネクタより中央側に位置する基板管理番号と重ならないように配置したものとなることは明らかである。
イ　上記相違点２について検討する。
　引用発明の「遊技制御基板１１０」は、透明な基板ボックス１２０に収納されているから、基板ボックス１２０（基板ケース）によって識別不能とならないように配置されているといえる。
　また、遊技機の技術分野において、いずれの電子回路基板の基板ケースとも別体であり、かつ、複数の基板ケースと重なる位置に透明なカバー体を設ける点は、本願出願前において周知の技術である。（特開２０１４−１７１６３６号公報の段落【００２６】、図２の演出制御基板ケース２４ａと画像制御基板ケース２５ａが透明な裏カバー２３により覆われている点、特開２００７−３１９２３１号公報の段落【００４７】、【００５３】、図５、９の演出制御基板１５２や、音・光制御基板１５４は基板ケース１５３、１５４に収容され、演出制御基板１５２、音・光制御基板１５４は、透明なカバー部材１６６に覆われて、外部から視認可能となる点、特開２０１４−１４４１４６号公報の段落【００７９】、図４、５の演出基板ケース５００全体と、主基板ケース２００の上辺部が透明なカバー扉３０２により被覆される点を参照のこと。以下「周知技術２」という。）
　そして、上記周知技術２のカバー体は透明であるから、その内部が識別不能とならないことは明らかである。
　引用発明と周知技術２とは、基板ケースに収容された電子回路基板を備えた遊技機である点で共通するものである。
　よって、引用発明の基板ボックス１２０に収納された遊技制御基板１１０に、周知技術２の透明なカバー体を設けるに際し、上記アにおいて検討した導電線材を基板管理番号と重ならないように配置することに加え、管理番号が基板ケースとカバー体と導電線材のいずれによっても識別不能とならないように構成し、上記相違点２に係る本願発明とすることは当業者であれば容易になし得たことである。
ウ　本願発明が奏する効果について
　上記相違点１、２によって本願発明が奏する効果は、当業者が引用発明、技術常識、周知技術１及び周知技術２から予測し得る程度のものであって、格別のものではない。
エ　請求人の主張
　請求人は、平成３０年７月２６日付け意見書において、「しかしながら本願の構成を実現する場合、導電線材が、基板の端辺（第１端辺）から第２の電子回路基板に向かうように配置され、かつ当該第２の電子回路基板に向かう方向が、基板管理番号が記載されている方向とは異なる方向となるようにされていなければなりません。
　このためには電子回路基板上での基板管理番号の表記位置と、コネクタ位置と、遊技機背面等における各電子回路基板（基板ケース）の配置（第１の電子回路基板と第２の電子回路基板の位置関係）、導電線材の長さ等を総合的に考慮した設計が必要になります。
　即ち、導電線材が第２の電子回路基板に向かう方向に配置された状態で、その方向が基板管理番号が記載されていない方向に合致し、かつそうなるようにコネクタが配置されているようにすることは、単に基板のコネクタから接続先の基板のコネクタに向かうように導電線材を配置させるのみで実現できるものではありません。
　もちろん特開２００１−１２９１７７号公報、特開２００１−２９５５５号公報、特開２００２−１４３４９７号公報、特開２００９−６０８７号公報の等の周知例から、そのような本願の構成は予測できません。」（「［４］理由１に対する意見」の後段。）と主張する。
　しかしながら、上記アで検討したとおり、基板管理番号の重要性に鑑み、透明ケースに収納された遊技基板の基板管理番号の視認を容易とするために基板管理番号が他の部材により遮蔽されないようにすることは技術常識であるといえるから、導電線材を配置するにあたり、導電線材が基板管理番号と重ならないように、基板管理番号が記載されている部分を避けて、基板管理番号が記載されている方向と異なる方向に配置することは、当業者が容易に想到し得たことである。
　したがって、請求人の主張は採用できない。
６　むすび 
　以上のとおりであるから、本願発明は、特許法第２９条第２項の規定により特許を受けることができない。 
　したがって、本願は、拒絶されるべきものである。 
　よって、結論のとおり審決する。